(57)【要約】      （修正有）【課題】簡易な構造で、製造が容易で、梱包の空間を占めることなく、使用時の取り扱いが便利なフックを提供する。【解決手段】シート体３０の短手方向に、中央の折り線が山線であって、両側の折り線がは谷線である３本の折り線を形成して該シート体を４枚のベースシート３３に分割し、中間の両該ベースシートには、それぞれの該ベースシートの上端縁の山線となる中間の折り線に近い位置から下方に切込み線をそれぞれ形成して二つの連結部と、二つのフック構成部３６とを形成し、該フック構成部を形成しない両側の該ベースシートの背面に両面粘着シートを設け、両該フック構成部を該切り込み線から切り離し、山線となる該折り線、および谷線となる該折り線をそれぞれ折って該フック構成部を前方に突起させ、適宜な角度を具え、かつ上部が開口状のフック部を構成するとともに、該二つの連結部を連結して位置決めする。【選択図】図３
0003149276.tif 000002
【実用新案登録請求の範囲】
【請求項１】
シート体の短手方向に、中央の折り線が山線であって、両側の折り線がは谷線である３本の折り線を形成して該シート体を４枚のベースシートに分割し、
中間の両該ベースシートには、それぞれの該ベースシートの上端縁の山線となる中間の折り線に近い位置から下方に切込み線をそれぞれ形成して二つの連結部と、二つのフック構成部とを形成し、
該フック構成部を形成しない両側の該ベースシートの背面に両面粘着シートを設け、
両該フック構成部を該切り込み線から切り離し、山線となる該折り線、および谷線となる該折り線をそれぞれ折って該フック構成部を前方に突起させ、適宜な角度を具え、かつ上部が開口状のフック部を構成するとともに、該二つの連結部を連結して位置決めするように構成したことを特徴とするフック。
【請求項２】
前記切り込み線は、上半部が斜め下に直線を描いて斜め切り込み線を形成し、下半部が該斜め切り込み線の一端から円周の一部を描いて、該ベースシートの外側の谷線となる折り線に至り、円弧状切込み線を形成して両該連結部に上連結部と下連結部とを形成し、かつ一方の該下連結部には上端から、他方の該連結部には下端から連結切り込み線を形成し、それぞれの該折り線を折った場合、両該下連結部のそれぞれの該連結切り込み線から互いに差し込んで連結するように構成したことを特徴とする請求項１に記載のフック。
【請求項３】
前記下連結部に湾曲切込み線をそれぞれ形成し、開口部が対応する係合部を形成して、該ベースシートを折って両該係合部を係合させて固定するように構成することを特長とする請求項２に記載のフック。
【請求項４】
前記上連結部のいずれか一方に、上端縁の谷線となる該折り線に近い位置に該斜め切り込み線と平行の斜め連結切り込み線を形成し、両該連結部を連結する場合、一方の該上連結部の一端を他方の該上連結部に形成した該斜め連結切り込み線差し込み固定するように構成したことを特徴とする請求項２、もしくは請求項３に記載のフック。
【請求項５】
前記折り線で、谷線となる両該折り線の下端から山線となる該折り線の適宜な高さの位置に向かって斜め折り線を形成し、該フック構成部の下端に三角形の折込部を形成し、該フック構造部を構成した場合の補強構造とするように構成したことを特徴とする請求項１、もしくは請求項２、もしくは請求項３に記載のフック。
【請求項６】
前記折り線で、谷線となる両該折り線の下端から山線となる該折り線の適宜な高さの位置に向かって斜め折り線を形成し、該フック構成部の下端に三角形の折込部を形成し、該フック構造部を構成した場合の補強構造とするように構成したことを特徴とする請求項４に記載のフック。
【請求項７】
前記折り線と、それぞれの該切り込み線と、フック構造部と、それぞれの連結部とを形成したシート体が、適宜な長さのシート体上に適宜な間隔をおいて一つ、もしくは二つ以上を形成した枠切込み線内に形成され、かつそれぞれの該枠切込み線間には切り取り線を形成するとともに、該シート体の背面にで、該フック構成部を形成しない該ベースシートの背面に両面粘着シートを設けることを特徴とする請求項１、もしくは請求項２、もしくは請求項３に記載のフック。
【請求項８】
前記折り線と、それぞれの該切り込み線と、フック構造部と、それぞれの連結部とを形成したシート体が、適宜な長さのシート体上に適宜な間隔をおいて一つ、もしくは二つ以上を形成した枠切込み線内に形成され、かつそれぞれの該枠切込み線間には切り取り線を形成するとともに、該シート体の背面にで、該フック構成部を形成しない該ベースシートの背面に両面粘着シートを設けることを特徴とする請求項４に記載のフック。
【請求項９】
前記折り線と、それぞれの該切り込み線と、フック構造部と、それぞれの連結部とを形成したシート体が、適宜な長さのシート体上に適宜な間隔をおいて一つ、もしくは二つ以上を形成した枠切込み線内に形成され、かつそれぞれの該枠切込み線間には切り取り線を形成するとともに、該シート体の背面にで、該フック構成部を形成しない該ベースシートの背面に両面粘着シートを設けることを特徴とする請求項５に記載のフック。
【請求項１０】
前記折り線と、それぞれの該切り込み線と、フック構造部と、それぞれの連結部とを形成したシート体が、適宜な長さのシート体上に適宜な間隔をおいて一つ、もしくは二つ以上を形成した枠切込み線内に形成され、かつそれぞれの該枠切込み線間には切り取り線を形成するとともに、該シート体の背面にで、該フック構成部を形成しない該ベースシートの背面に両面粘着シートを設けることを特徴とする請求項６に記載のフック。
【考案の詳細な説明】
【技術分野】
【０００１】
この考案はフックに関し、特に壁面などに取り付け物品を釣支するために用いるフックに関する。
【背景技術】
【０００２】
図１に従来のフックを開示する。従来のフックは、主にプラスチック材でベース１０と、鉤状の釣支部２０とを一体に成型してなる。ベース１１は両面粘着シートなどで底面を壁面に固定して、釣支部２０を物品２０の釣支に提供する。
【０００３】
また、金属板をプレス加工で一体成型してフックを形成する場合もある。
【０００４】
しかしながら、上述する従来のフックは、プラスチック材などの可塑性の材料で成型した場合、一定の材料コストを消耗するのみならず、相対的に金型製作の難度が高まり、製造コストが大幅に高くなることが欠点として挙げられる。
【０００５】
また、プレス加工についても、複数回のプレス加工を経て成型が達成される。このため製造工程における不便さが増すという欠点を有する。
【０００６】
さらに、プラスチック材による一体成型であろうと、金属板の一体成型であろうと、フック製品を梱包する場合、積載容積に比較的大きな空間を占めることになる。しかも、プラスチック材による一体成型であろうと、金属板の一体成型であろうと個別の単体であって、収納、管理が面倒になり、取り出して使用する場合、どこかに落ちてしまうことが容易に発生する。この点が第２の欠点として挙げられる。
【０００７】
したがって、従来のプラスチック材によって一体成型するフックの金型によるコスト増、金属板のプレス加工によって一体成型するフックの製造過程における煩雑、もしくは製造した後の単体のフックの収納、管理の面倒さ、さらには取り出して使用する場合の不便さなどの欠点を改善する必要がある。
【考案の開示】
【考案が解決しようとする課題】
【０００８】
そこで、この考案は、簡易な構造で、経済的効果に適うフックを提供することを課題とする。
【０００９】
また、この考案は、簡易な構造を具え、製造が容易で製造コストを節減し、生産効効率と経済的効果を高めるとともに、梱包の空間を占めることのないフックを提供することを課題とする。
【００１０】
さらに、この考案は、収納に便利で、かつ取り出して壁面などに取り付ける場合に取り扱いが便利なフックを提供することを課題とする。
【課題を解決するための手段】
【００１１】
そこで、本考案者は従来のフックに見られる欠点に鑑み鋭意研究を重ねた結果、シート体の短手方向に、中央の折り線が山線であって、両側の折り線がは谷線である３本の折り線を形成して該シート体を４枚のベースシートに分割し、中間の両該ベースシートには、それぞれの該ベースシートの上端縁の山線となる中間の折り線に近い位置から下方に切込み線をそれぞれ形成して二つの連結部と、二つのフック構成部とを形成し、該フック構成部を形成しない両側の該ベースシートの背面に両面粘着シートを設け、両該フック構成部を該切り込み線から切り離し、山線となる該折り線、および谷線となる該折り線をそれぞれ折って該フック構成部を前方に突起させ、適宜な角度を具え、かつ上部が開口状のフック部を構成するとともに、該二つの連結部を連結して位置決めするように構成したフックによって課題を解決できる点に着眼し、かかる知見に基づいて本考案を完成させた。
【００１２】
以下、この考案について具体的に説明する。
請求項１に記載するフックは、シート体の短手方向に、中央の折り線が山線であって、両側の折り線がは谷線である３本の折り線を形成して該シート体を４枚のベースシートに分割し、
中間の両該ベースシートには、それぞれの該ベースシートの上端縁の山線となる中間の折り線に近い位置から下方に切込み線をそれぞれ形成して二つの連結部と、二つのフック構成部とを形成し、
該フック構成部を形成しない両側の該ベースシートの背面に両面粘着シートを設け、
両該フック構成部を該切り込み線から切り離し、山線となる該折り線、および谷線となる該折り線をそれぞれ折って該フック構成部３６を前方に突起させ、適宜な角度を具え、かつ上部が開口状のフック部を構成するとともに、該二つの連結部を連結して位置決めするように構成する。
【００１３】
請求項２に記載するフックは、請求項１における切り込み線が、上半部が斜め下に直線を描いて斜め切り込み線を形成し、下半部が該斜め切り込み線の一端から円周の一部を描いて、該ベースシートの外側の谷線となる折り線に至り、円弧状切込み線３４２を形成して両該連結部に上連結部と下連結部とを形成し、かつ一方の該下連結部には上端から、他方の該連結部には下端から連結切り込み線を形成し、それぞれの該折り線を折った場合、両該下連結部のそれぞれの該連結切り込み線から互いに差し込んで連結するように構成する。
【００１４】
請求項３に記載するフックは、請求項２における下連結部に湾曲切込み線をそれぞれ形成し、開口部が対応する係合部を形成して、該ベースシートを折って両該係合部を係合させて固定するように構成する。
【００１５】
請求項４に記載するフックは、請求項２、もしくは請求項３における上連結部のいずれか一方に、上端縁の谷線となる該折り線に近い位置に該斜め切り込み線と平行の斜め連結切り込み線を形成し、両該連結部を連結する場合、一方の該上連結部の一端を他方の該上連結部に形成した該斜め連結切り込み線差し込み固定するように構成する。
【００１６】
請求項５に記載するフックは、請求項１、もしくは請求項２、もしくは請求項３における折り線で、谷線となる両該折り線の下端から山線となる該折り線の適宜な高さの位置に向かって斜め折り線を形成し、該フック構成部の下端に三角形の折込部を形成し、該フック構造部を構成した場合の補強構造とするように構成する。
【００１７】
請求項６に記載するフックは、請求項４における折り線で、谷線となる両該折り線の下端から山線となる該折り線の適宜な高さの位置に向かって斜め折り線を形成し、該フック構成部の下端に三角形の折込部を形成し、該フック構造部を構成した場合の補強構造とするように構成する。
【００１８】
請求項７記載するフックは、請求項１、もしくは請求項２、もしくは請求項３における折り線と、それぞれの該切り込み線と、フック構造部と、それぞれの連結部とを形成したシート体が、適宜な長さのシート体上に適宜な間隔をおいて一つ、もしくは二つ以上を形成した枠切込み線内に形成され、かつそれぞれの該枠切込み線間には切り取り線を形成するとともに、該シート体の背面にで、該フック構成部を形成しない該ベースシートの背面に両面粘着シートを設ける。
【００１９】
請求項８に記載するフックは請求項４における折り線と、それぞれの該切り込み線と、フック構造部と、それぞれの連結部とを形成したシート体が、適宜な長さのシート体上に適宜な間隔をおいて一つ、もしくは二つ以上を形成した枠切込み線内に形成され、かつそれぞれの該枠切込み線間には切り取り線を形成するとともに、該シート体の背面にで、該フック構成部を形成しない該ベースシートの背面に両面粘着シートを設ける。
【００２０】
請求項９に記載するフックは、請求項５における折り線と、それぞれの該切り込み線と、フック構造部と、それぞれの連結部とを形成したシート体が、適宜な長さのシート体上に適宜な間隔をおいて一つ、もしくは二つ以上を形成した枠切込み線内に形成され、かつそれぞれの該枠切込み線間には切り取り線を形成するとともに、該シート体の背面にで、該フック構成部を形成しない該ベースシートの背面に両面粘着シートを設ける。
【００２１】
請求項１０に記載するフックは請求項６における折り線と、それぞれの該切り込み線と、フック構造部と、それぞれの連結部とを形成したシート体が、適宜な長さのシート体上に適宜な間隔をおいて一つ、もしくは二つ以上を形成した枠切込み線内に形成され、かつそれぞれの該枠切込み線間には切り取り線を形成するとともに、該シート体の背面にで、該フック構成部を形成しない該ベースシートの背面に両面粘着シートを設ける。
【考案の効果】
【００２２】
この考案によるフックは、簡易な構造で、製造が容易であることから製造効率を高め、製造コストを節減することができ、製品の経済的効果を高めることができるという効果を有する。
【００２３】
また、この考案によるフックは、簡梱包の空間を占めることがなく、収納に便利であるとともに、取り出して壁面などに取り付ける場合に取り扱いが便利であり、生産者、使用者のいずれにとっても利便性が得られるという効果を有する。
【考案を実施するための最良の形態】
【００２４】
この考案は簡易な構造で、製造が容易で、梱包の空間を占めることなく、使用時の取り扱いが便利なフックを提供するものであって、シート体の短手方向に、中央の折り線が山線であって、両側の折り線がは谷線である３本の折り線を形成して該シート体を４枚のベースシートに分割し、中間の両該ベースシートには、それぞれの該ベースシートの上端縁の山線となる中間の折り線に近い位置から下方に切込み線をそれぞれ形成して二つの連結部と、二つのフック構成部とを形成し、該フック構成部を形成しない両側の該ベースシートの背面に両面粘着シートを設け、両該フック構成部を該切り込み線から切り離し、山線となる該折り線、および谷線となる該折り線をそれぞれ折って該フック構成部を前方に突起させ、適宜な角度を具え、かつ上部が開口状のフック部を構成するとともに、該二つの連結部を連結して位置決めするように構成してなる。かかる構成のフックについて、その構造とと特徴を詳述するために、具体的な実施例を挙げ、図面を参照にして以下に説明する。
【実施例】
【００２５】
図２に、この考案によるフックを組み立てる操作を開示する。図面によれば、フックユニット３０はシート体４２を含んでなり、シート体３０には短手方向に間隔をおいて３本の折り線３２を形成し、それぞれの折り線３２によって４枚に分割されたそれぞれの領域をベースシート３３とする。中央の折り線３２は山線であって、両側の折り線３２は谷線である。
【００２６】
中間の両ベースシート３３には、それぞれのベースシート３３の上端縁の山線となる中間の折り線３２に近い位置から下方に切込み線３４をそれぞれ形成する。即ち、それぞれの切り込み線３４の上半部は上端縁の山線となる折り線３２に近い位置から、山線となる折り線３２を離れる方向で、かつ斜め下に直線を描いて斜め切り込み線３４１を形成し、下半部は斜め切り込み線３４１の一端から円周の一部を描いて、ベースシート３３の外側の谷線となる折り線３２のほぼ中央の位置に至り、円弧状切込み線３４２を形成する。
【００２７】
切込み線３４を形成することによって、中間の両ベースシート３３には、それぞれの切り込み線３４と谷線となる折り線３２との間の上半部に連結部３５が形成される。また、中間の両ベースシート３３には、それぞれの切り込み線３４とベースシートの底辺と山線となる折り線３２と谷線となる折り線３２とに囲まれたフック構成部３６が形成される。
【００２８】
それぞれの連結部３５は、上連結部３５１と下連結部３５２とが形成され、いずれかの上連結部３５１には上端縁の谷線となる折り線３２に近い位置に、斜め切り込み線３４１と平行の斜め連結切り込み線３５３を形成し、また、一方の下連結部３５２には上端から、他方の連結部３５２には下端から連結切り込み線３５４を形成し、それぞれの折り線３２を折った場合、一方の上連結部３５１の一端を他方の上連結部に形成した斜め連結切り込み線３５３に差し込み、かつ両下連結部３５２はそれぞれの連結切り込み線３５４から互いに差し込んで連結する。
【００２９】
また、谷線となる両折り線３２の下端から山線となる折り線３２の適宜な高さの位置に向かって斜め折り線３７を形成し、フック構成部３６の下端に三角形の折込部３８を形成する。
【００３０】
図２に矢印で示すように、フックユニット３０は、両フック構成部３６を切り込み線３４から切り離し、山線となる折り線３２、および谷線となる折り線３２をそれぞれ折ってフック構成部３６を前方に突起させ、適宜な角度を具え、かつ上部が開口状のフック部を構成する。また、ベースシート３３に形成した両連結部３５を互いに近づく方向に移動させて、下連結部３５２はれぞれの連結切り込み線３５４から互いに差し込んで位置決めするとともに、一方の上連結部３５１の一端を他方の上連結部に形成した斜め連結切り込み線３５３に差し込んで位置決めし、鉤状のフックの構造を構成する。
さらにフック構成部３６を形成しない両側のベースシート３３の背面に、それぞれ両面粘着シートＡを設け（図５参照）、フックの固定に供する。
【００３１】
図３に、この考案によるフックの使用態様を開示する。図面によれば、上述する手順に沿ってそれぞれの折り線を折って構成したフックを物品２０の釣支に供する場合、フック構成部３６を形成しない両側のベースシート３３の背面を壁面に張着して固定する以外に、両連結部３５が重なり合い、両下連結部３５２は連結切り込み線３５４において互いに連結し、両上連結部３５１は斜め連結切り込み線３５３において互いに連結して固定されることから、多重の固定補強作用が得られ、フックの釣支による負荷に対する耐性を高める。よって、フックが壁面から剥がれ、落ちることがない。
【００３２】
図４に、他の実施の形態を開示する。この実施の形態においては、フックユニット３０の両下連結部３５２に湾曲切込み線３５５をそれぞれ形成し、開口部が対応する係合部３５６を形成して、ベースシート３３を折って両連結部３５を近づけた場合、両係合部３５６を係合させて固定し、フックを構成する。
【００３３】
図５に開示するように、この考案によるフックユニット３０を製造する場合は、適宜な長さのシート体４０上に適宜な間隔をおいて枠切り込み線４１を形成し、一つ、もしくは二つ以上のフックユニット３０を形成する。それぞれのフックユニット３０の間には切り取り線４２を形成する。シート体４０の背面にで、フックユニット３０のフック構成部３６を形成しないベースシート３３の背面には両面粘着シートＡを設ける。
【００３４】
この考案におけるフックユニット３０は、製造工程においてプレス加工を１回行うだけで形成することができる。即ち、シート体４０上に連続してフックユニット３０をプレス加工で形成することができ、生産効率を高めることができ、金型を作成するコストを省くことができる。このため、製造コストを大幅に節減するなど、多重の効果増進作用を有する。
【００３５】
以上は、この考案によるフックの好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に含まれるものとする。
【図面の簡単な説明】
【００３６】
【図１】従来のフックの使用態様を示した説明図である。
【図２】この考案によるフックを組み立てる手順を示した説明図である。
【図３】この考案によるフックの使用態様を示した説明図である。
【図４】他の実施の形態によるフックユニットを示した正面図である。
【図５】製造過程におけるこの考案のフックを示した説明図である。
【符号の説明】
【００３７】
１０                ベース部
１１                釣支部
２０                物品
３０                シート体
３２                折り線
３３                ベースシート
３４                切り込み線
３４１            斜め切り込み線
３４２            円弧状切り込み線
３５                連結部
３５１            上連結部
３５２            下連結部
３５３            斜め連結切り込み線
３５４            連結切り込み線
３５５            湾曲切り込み線
３５６            係合部  
３６                フック構成部
３７                斜め折り線
３８                折込部
４０                シート体
４１                枠切り込み線
４２                切り取り線
Ａ                    両面粘着シート
【図１】
0003149276.tif 000003
【図２】
0003149276.tif 000004
【図３】
0003149276.tif 000005
【図４】
0003149276.tif 000006
【図５】
0003149276.tif 000007